(57)【要約】【課題】機器設置部材の引き出しや固定に係る作業が容易であるとともに、機器設置部材を傾斜姿勢で保持することができる電気機器収納用キャビネットを提供する。【解決手段】キャビネット本体２の内部に、前後方向へ延びるスライド部１２ａ、及び案内部１０ｂの前縁でスライド部１２ａよりも上方位置に設けられた開口とスライド部１２ａとを連通させる着脱部１２ｂを有するレール溝１２と、固定孔１３とを設ける一方、機器設置部材２１に、レール溝１２内へ挿入可能な案内軸２３と、固定孔１３へ係合可能なクリック突起２４とを設けた。また、レール溝１２のスライド部１２ａに沿って最前端位置まで引き出した機器設置部材２１を上方へ揺動させた際に、クリック突起２４の移動軌跡上となる位置に、クリック突起２４が係合可能な保持孔１４を設けた。【選択図】図５
2013021186.tif 000002
【特許請求の範囲】
【請求項１】
前面に開口を有する方形箱状のキャビネット本体内に、電気機器を設置するための機器設置部材を収納してなる電気機器収納用キャビネットであって、
前記機器設置部材が、左右両端部を後方へ折り曲げてなる左右方向へ長尺な帯状体であり、
前記機器設置部材の左右両端部の外面に案内軸を、前記キャビネット本体の側板内面に、前記案内軸が挿入可能で、前後方向に延びるスライド部と、前記スライド部に連通しているとともに前記案内軸を前記スライド部へ挿入させるための開口を有する着脱部とを有するレール溝を夫々設ける一方、
前記機器設置部材の左右両端部の外面に係合部を突設するとともに、前記側板内面で前記スライド部に沿った後方寄りに前記係合部が係合可能な第１被係合部を、前記側板内面で前記スライド部に沿った前方寄りであり、前記スライド部に沿って所定のスライド位置まで前方へ引き出した前記機器設置部材を、前記案内軸を軸として上下方向へ揺動させた際に、前記係合部の移動軌跡上となる位置に、前記係合部が係合可能な第２被係合部を夫々設けており、
前記案内軸の前記着脱部を介しての前記スライド部への挿入／抜き取りにより、前記機器設置部材を前記キャビネット本体へ着脱することができるとともに、前記案内軸が前記スライド部内にある状態において前記係合部を前記第１被係合部へ係合させることにより、前記機器設置部材を前記キャビネット本体内において固定することができ、
さらに、前記機器設置部材を前記スライド部に沿って所定のスライド位置まで前方へ引き出し、前記案内軸を軸として上下方向へ揺動させて前記係合部を前記第２被係合部へ係合させることにより、前記機器設置部材を傾斜姿勢で保持することができることを特徴とする電気機器収納用キャビネット。
【発明の詳細な説明】
【技術分野】
【０００１】
本発明は、たとえば回路遮断器を収納する分電盤等に使用される電気機器収納用キャビネットに関するものである。
【背景技術】
【０００２】
従来、電気機器収納用キャビネットとしては種々のものが考案されており、たとえば特許文献１に開示されているようなものがある。このような電気機器収納用キャビネットでは、キャビネット本体内に収納設置されている電気機器に対して結線作業する場合等が想定されるため、そのような作業時における作業スペースの確保が望まれている。そこで、特許文献１に開示されている電気機器収納用キャビネットによれば、電気機器が設置される機器設置部材（棚）を前後方向へスライド可能に取り付けるとともに、機器設置部材を案内するレール部材を水平姿勢から下方へ揺動可能に設けており、上述したような作業時には機器設置部材を引き出し、レール部材と共に下方へ揺動させることによって作業スペースを確保可能としている。
【先行技術文献】
【特許文献】
【０００３】
【特許文献１】特開２００２−１５３３３６号公報
【発明の概要】
【発明が解決しようとする課題】
【０００４】
しかしながら、上記特許文献１に記載の電気機器収納用キャビネットによれば、機器設置部材をキャビネット本体内で固定するにあたり、機器設置部材をキャビネット本体の柱部材等にネジ止めするように構成している。したがって、作業時に機器設置部材を引き出したり、作業の終了時に機器設置部材を固定したりする際、一々ネジを緩めたり締めたりする必要があり、作業が煩わしいという問題がある。
また、特許文献１に記載の電気機器収納用キャビネットでは、機器設置部材を下方へ揺動させた傾斜姿勢で保持するにあたり、機器設置部材のキャビネット本体の底板への当接により保持されるような構成を採用している。しかしながら、機器設置部材がキャビネット本体の背板に沿って固定されるような帯状体であると、機器設置部材の前後方向への長さは帯状体の厚みでしかないため、機器設置部材を下方へ揺動させたところで底板へ届かない。すなわち、機器設置部材を傾斜姿勢で保持するための別途構造を考案する必要がある。
【０００５】
そこで、本発明は、上記問題に鑑みなされたものであって、機器設置部材の引き出しや固定に係る作業が容易であるとともに、機器設置部材を傾斜姿勢で保持することができる電気機器収納用キャビネットを提供しようとするものである。
【課題を解決するための手段】
【０００６】
上記目的を達成するために、本発明のうち請求項１に記載の発明は、前面に開口を有する方形箱状のキャビネット本体内に、電気機器を設置するための機器設置部材を収納してなる電気機器収納用キャビネットであって、前記機器設置部材が、左右両端部を後方へ折り曲げてなる左右方向へ長尺な帯状体であり、前記機器設置部材の左右両端部の外面に案内軸を、前記キャビネット本体の側板内面に、前記案内軸が挿入可能で、前後方向に延びるスライド部と、前記スライド部に連通しているとともに前記案内軸を前記スライド部へ挿入させるための開口を有する着脱部とを有するレール溝を夫々設ける一方、前記機器設置部材の左右両端部の外面に係合部を突設するとともに、前記側板内面で前記スライド部に沿った後方寄りに前記係合部が係合可能な第１被係合部を、前記側板内面で前記スライド部に沿った前方寄りであり、前記スライド部に沿って所定のスライド位置まで前方へ引き出した前記機器設置部材を、前記案内軸を軸として上下方向へ揺動させた際に、前記係合部の移動軌跡上となる位置に、前記係合部が係合可能な第２被係合部を夫々設けており、前記案内軸の前記着脱部を介しての前記スライド部への挿入／抜き取りにより、前記機器設置部材を前記キャビネット本体へ着脱することができるとともに、前記案内軸が前記スライド部内にある状態において前記係合部を前記第１被係合部へ係合させることにより、前記機器設置部材を前記キャビネット本体内において固定することができ、さらに、前記機器設置部材を前記スライド部に沿って所定のスライド位置まで前方へ引き出し、前記案内軸を軸として上下方向へ揺動させて前記係合部を前記第２被係合部へ係合させることにより、前記機器設置部材を傾斜姿勢で保持することができることを特徴とする。
【発明の効果】
【０００７】
本発明によれば、係合部の第１被係合部や第２被係合部への係合により機器設置部材を固定したり保持したりすることができるため、機器設置部材をキャビネット本体に着脱したり、キャビネット本体内で固定したり、更には機器設置部材を傾斜姿勢で保持したりする際に、工具を使用する必要がなく、着脱作業や引き出し作業、ひいては機器設置部材に設置された電気機器に対しての結線作業等の各種作業を容易に行うことができる。
【図面の簡単な説明】
【０００８】
【図１】前扉を取り外した状態の電気機器収納用キャビネットを示した斜視説明図である。
【図２】機器設置部材を傾斜姿勢で保持した状態にある電気機器収納用キャビネットを示した斜視説明図である。
【図３】機器設置部材をキャビネット本体から取り外した状態を示した斜視説明図である。
【図４】機器設置部材がキャビネット本体内において通常の収納姿勢で固定状態にある様子を示した説明図である。
【図５】機器設置部材を前方へ引き出すと共に傾斜姿勢で保持させた状態を示した説明図である。
【図６】機器設置部材をキャビネット本体から取り外した状態を示した説明図である。
【発明を実施するための形態】
【０００９】
以下、本発明の一実施形態となる電気機器収納用キャビネット（以下、単にキャビネットと称す）について、図面にもとづき詳細に説明する。
【００１０】
図１は、前扉を取り外した状態のキャビネット１を示した斜視説明図である。図２は、機器設置部材２１を傾斜姿勢で保持した状態にあるキャビネット１を示した斜視説明図である。図３は、機器設置部材２１をキャビネット本体２から取り外した状態を示した斜視説明図である。
キャビネット１は、前面に開口を有する方形箱体状のキャビネット本体２と、キャビネット本体２に取り付けられ、その前面の開口を開閉する図示しない前扉と、キャビネット本体２内に収納可能で、回路遮断器等の各種電気機器を設置可能な機器設置部材２１とを備えてなる。キャビネット本体２は、天板３、底板４、背板５、及び左右の側板６、６を一体的に固着してなる。そして、キャビネット本体２の内面には、左右一対の保持部材１０、１０が固着されている。各保持部材１０は、金属板をＬ字状に折り曲げてなり、一方の板部には、保持部材１０を背板５にネジ止めするための固着孔１１、１１が穿設されており、固着部１０ａとして機能する。
【００１１】
また、他方の板部には、後述する機器設置部材２１を案内するレール溝１２が設けられており、案内部１０ｂとして機能する。レール溝１２は、前後方向に設けられて機器設置部材２１を引き出すためのスライド部１２ａと、案内部１０ｂの前縁でスライド部１２ａよりも上方位置に設けられた開口とスライド部１２ａの略中央位置とを連通させる倒Ｌ字状で、機器設置部材２１を着脱するための着脱部１２ｂとを有しており、全体として略「ユ」字状に形成されている。さらに、案内部１０ｂにおけるスライド部１２ａの更に後方には、機器設置部材２１をキャビネット本体２内において通常の収納姿勢で固定するための固定孔１３が穿設されている。加えて、スライド部１２ａの前端近傍の下方であって、後述するようにして機器設置部材２１を上方へ揺動させた際におけるクリック突起２４の移動軌跡上には、前方へ引き出した機器設置部材２１を傾斜姿勢で保持するための保持孔１４が穿設されている。そして、このような保持部材１０は、固着部１０ａを背板５に、案内部１０ｂを左右何れかの側板６に夫々当接させた状態でネジ止め等により固着されている。なお、左右の保持部材１０、１０は鏡面対称形状となっている。
【００１２】
一方、機器設置部材２１は、上下方向が幅広で左右方向へ長尺な金属製の帯状体であって、その前面の中央部には、左右方向へ長い長孔２２、２２・・が複数連設されており、該長孔２２等を利用して回路遮断器等の各種電気機器を設置可能となっている。また、機器設置部材２１の左右両端部は後方へ略９０度折り曲げられており、該折り曲げ部の外面には、レール溝１２内に挿入可能な案内軸２３（ここではボルトの軸部を案内軸として採用）と、固定孔１３や保持孔１４に係合可能なクリック突起２４とが夫々外方へ突設されている。尚、機器設置部材２１の左右方向長さは、キャビネット本体２の左右方向長さ（左右の保持部材１０、１０間の距離）と略同じとなっている。
【００１３】
ここで、以上のような機器設置部材２１のキャビネット本体２への着脱作業、及び機器設置部材２１の使用形態について、図４〜図６をもとに説明する。
図４は、機器設置部材２１がキャビネット本体２内において通常の収納姿勢で固定状態にある様子を示した説明図である。図５は、機器設置部材２１を前方へ引き出すと共に傾斜姿勢で保持させた状態を示した説明図である。図６は、機器設置部材２１をキャビネット本体２から取り外した状態を示した説明図である。尚、図４〜図６中のＡは、機器設置部材２１に設置された電気機器である。
【００１４】
機器設置部材２１を通常の収納姿勢で固定するに際しては、各案内軸２３を夫々対応する着脱部１２ｂからレール溝１２内へ挿入し、スライド部１２ａの最後方位置までスライドさせ、各クリック突起２４を固定孔１３へ係合させればよい。すると、図４に示す如く、機器設置部材２１は、その前面に設置された電気機器Ａを前方へ向けた姿勢で、キャビネット本体２内で固定されることになる。
【００１５】
そして、機器設置部材２１に設置されている電気機器Ａに対して結線作業する場合等には、クリック突起２４と固定孔１３との係合を解除した後、スライド部１２ａに沿って機器設置部材２１を前方へ引き出すとともに、スライド部１２ａの最前端位置（所定のスライド位置）において案内軸２３を軸として機器設置部材２３を上方へ揺動させ、各クリック突起２４を保持孔１４へ係合させればよい。すると、図５に示す如く、機器設置部材２１は、電気機器Ａを斜め上方へ向けた姿勢で保持されることになる。
【００１６】
また、電気機器Ａをキャビネット本体２内から取り出す必要がある場合には、着脱部１２ｂに沿って機器設置部材２１をスライドさせて案内軸２３をレール溝１２から抜き取り、機器設置部材２１をキャビネット本体２から取り外せばよい。すると、図６に示す如く、電気機器Ａを機器設置部材２１と共にキャビネット本体２外へ取り出すことができる。
【００１７】
以上のような構成を有するキャビネット１によれば、キャビネット本体２の内部に、機器設置部材２１を保持するための保持部材１０を左右一対設けるとともに、該保持部材１０に、前後方向へ延びるスライド部１２ａ、及び案内部１０ｂの前縁でスライド部１２ａよりも上方位置に設けられた開口とスライド部１２ａとを連通させる着脱部１２ｂを有する「ユ」字状のレール溝１２と、固定孔１３とを設ける一方、電気機器Ａを設置する機器設置部材２１に、レール溝１２内へ挿入可能な案内軸２３と、固定孔１３へ係合可能なクリック突起２４とを設けている。そして、案内軸２３をレール溝１２内へ挿入してレール溝１２に沿ってスライドさせ、スライド部１２ａ内においてクリック突起２４を固定孔１３へ係合させることにより、機器設置部材２１をキャビネット本体２内で固定可能としている。したがって、機器設置部材２１を着脱する際に、工具を使用する必要がなく、着脱作業、ひいては機器設置部材２１に設置された電気機器Ａに対しての結線作業等の各種作業を容易に行うことができる。
【００１８】
また、保持部材１０において、レール溝１２のスライド部１２ａに沿って最前端位置まで引き出した機器設置部材２１を上方へ揺動させた際に、クリック突起２４の移動軌跡上となる位置に、クリック突起２４が係合可能な保持孔１４を設けている。そのため、クリック突起２４を保持孔１４へ係合させるだけで、機器設置部材２１を傾斜姿勢で保持することができる。したがって、機器設置部材２１に設置された電気機器Ａへの各種作業を容易に行うことができるし、機器設置部材２１を前方へ引き出す作業や機器設置部材２１を傾斜姿勢で保持する作業についても工具を使用する必要がなく、作業の一層の容易化を図ることができる。
【００１９】
なお、本発明に係るキャビネットは、上記実施形態の態様に何ら限定されるものではなく、機器設置部材やキャビネット本体の構成について、必要に応じて適宜変更することができる。
【００２０】
たとえば、上記実施形態では、機器設置部材２１を上方へ傾斜させた姿勢で保持するような位置にのみ保持孔１４を設けているが、機器設置部材２１を下方へ傾斜させた姿勢で保持するような位置に保持孔を設けてもよいし、保持孔を複数個設け、種々の傾斜姿勢で機器設置部材２１を保持するように構成することも可能である。
また、固定孔１３についても同様であり、複数の固定孔を設けることで、スライド部１２ａに沿った複数位置において機器設置部材２１を固定可能としても何ら問題はない。
さらに、上記実施形態では、着脱部１２ｂをスライド部１２ａよりも上方位置において開口させているが、逆にスライド部１２ａよりも下方位置において開口させるように構成することも可能であるし、着脱部１２ｂのスライド部１２ａへの連通位置についてもスライド部１２ａの略中央位置に限定されることはない。
【００２１】
さらにまた、上記実施形態では、機器設置部材２１に係合部としてクリック突起２４を、保持部材１０に被係合部として固定孔１３及び保持孔１４を設けているが、機器設置部材２１に係合部として係合孔を穿設するとともに、保持部材１０に被係合部として固定突起や保持突起を突設するように構成してもよい。
加えて、機器設置部材２１に案内軸２３を設けるに際し、ボルトの軸部を採用するのではなく、折り曲げ部の外面に突起を一体的に突設することにより案内軸を形成しても何ら問題はない。
【符号の説明】
【００２２】
１・・キャビネット、２・・キャビネット本体、６・・側板、１０・・保持部材、１０ａ・・固定部、１０ｂ・・案内部、１２・・レール溝、１２ａ・・スライド部、１２ｂ・・着脱部、１３・・固定孔（第１被係合部）、１４・・保持孔（第２被係合部）、２１・・機器設置部材、２３・・案内軸、２４・・クリック突起（係合部）。
【図１】
2013021186.tif 000003
【図２】
2013021186.tif 000004
【図３】
2013021186.tif 000005
【図４】
2013021186.tif 000006
【図５】
2013021186.tif 000007
【図６】
2013021186.tif 000008